(57)【要約】【課題】今までにない新規な形態のラベルであって、優れた販促効果を発揮する紙容器用ラベルを提供すること。【解決手段】角筒状胴部の上部に一対の向かい合う斜面パネルとその上に位置するトップシール部とを備えた紙容器に装着するラベルであって、一枚のシートからなり、紙容器のトップシール部と略同じ長さの直線状切込１とその両端にそれぞれ破れ防止用の逃げ切込２とを有し、紙容器のトップシール部に直線状切込１を差し込むことにより、紙容器の斜面パネルに跨がる状態で取り付ける。紙容器に対して屋根型の上面を傘のように覆った状態で取り付けられるため、広告面を一番目立つところに配置できることから、販促効果を上げることができる。また、紙容器のトップシール部に対して直線状切込のところを差し込むだけというワンタッチ操作で装着でき、しかも、破れ防止用の逃げ切込に抜け止めの作用があるため、容易には抜けなくなる。【選択図】図１
2005208266.tif 000002
【特許請求の範囲】
【請求項１】
角筒状胴部の上部に一対の向かい合う斜面パネルとその上に位置するトップシール部とを備えた紙容器に装着するラベルであって、一枚のシートからなり、紙容器のトップシール部と略同じ長さの直線状切込とその両端にそれぞれ破れ防止用の逃げ切込とを有し、紙容器のトップシール部に直線状切込を差し込むことにより、紙容器の斜面パネルに跨がる状態で取り付けることを特徴とする紙容器用ラベル。
【請求項２】
シートは長辺の長さが紙容器のトップシール部の長さと略等しい長方形で、その長辺方向と平行に直線状切込が形成されており、かつシートには直線状切込両端の逃げ切込を囲むようにしてそれぞれ突起部が設けられていることを特徴とする請求項１に記載の紙容器用ラベル。
【請求項３】
シートにおける直線状切込の少なくとも一方側が斜面パネルの長さと同じで、かつその斜面パネルの長さと同じ側の先端に延設部が設けられていることを特徴とする請求項１に記載の紙容器用ラベル。
【発明の詳細な説明】
【技術分野】
【０００１】
本発明は、牛乳、ジュース、ヨーグルト等の飲料を始めとする各種の液体を密閉状態で収納したゲーベルトップ型の紙容器に取り付けて使用される紙容器用ラベルに関するものである。
【背景技術】
【０００２】
従来、この種の紙容器の代表的なものとして、角筒状の胴部の下方をフラットに塞いで底部を閉鎖し、その中に内容物である液体を充填した後、上部を屋根型に密封して形成される所謂ゲーベルトップ型の紙容器が広く用いられている。このタイプの紙容器は、まずトップシール部の片側を剥がして左右に広げ、次いで広げた部分を両側から押して内側のシール部を剥がして引き起こすことによって開封するようになっている。
【０００３】
このような紙容器は、例えば容器自体に何らかの付加的な広告をしたりクジ等の特典を付けたりするような場合、ペットボトルの首部のような引っかける部分がなく、吊下タイプのラベルを引っかけるようなことができないことから、側面の印刷絵柄に工夫を施したり、或いは上部の斜面パネルにシールを貼り付けたりすることが行われている。
【特許文献１】特開平１０−２６８８１７号公報
【特許文献２】特開平１０−３３８２２４号公報
【発明の開示】
【発明が解決しようとする課題】
【０００４】
上記したように紙容器の場合は、今のところ販促手段として側面の印刷絵柄に工夫を施すか斜面パネルにシールを貼ることしかなく、特に後付けではシールを貼るしかないが、このシールはサイズが小さくまた容器自体の絵柄と一体化してしまうため、店頭等においてあまり目立たない。したがって、シールを貼るという手段では販促効果を上げることは難しい。そこで、飲料業界にあっては、紙容器に対しシール以外に新規な販促手段の出現が求められている。
【０００５】
本発明は、このような背景に鑑みてなされたものであり、その目的とするところは、今までにない新規な形態のラベルであって、優れた販促効果を発揮する紙容器用ラベルを提供することにある。
【課題を解決するための手段】
【０００６】
上記の目的を達成するため、本発明に係る紙容器用ラベルは、角筒状胴部の上部に一対の向かい合う斜面パネルとその上に位置するトップシール部とを備えた紙容器に装着するラベルであって、一枚のシートからなり、紙容器のトップシール部と略同じ長さの直線状切込とその両端にそれぞれ破れ防止用の逃げ切込とを有し、紙容器のトップシール部に直線状切込を差し込むことにより、紙容器の斜面パネルに跨がる状態で取り付けることを特徴としている。
【０００７】
そして、上記構成の紙容器用ラベルにおいて、シートは長辺の長さが紙容器のトップシール部の長さと略等しい長方形で、その長辺方向と平行に直線状切込が形成されており、かつシートには直線状切込両端の逃げ切込を囲むようにしてそれぞれ突起部が設けられている形態とすることが好ましい。
【０００８】
また、上記構成の紙容器用ラベルにおいて、シートにおける直線状切込の少なくとも一方側が斜面パネルの長さと同じで、かつその斜面パネルの長さと同じ側の先端に延設部が設けられている形態とすることもできる。
【発明の効果】
【０００９】
本発明の紙容器用ラベルは、紙容器に対して屋根型の上面を傘のように覆った状態で取り付けられるため、広告面を一番目立つところに配置できることから、販促効果を上げることができる。また、紙容器のトップシール部に対して直線状切込のところを差し込むだけというワンタッチ操作で装着でき、しかも、破れ防止用の逃げ切込に抜け止めの作用があるため、容易には抜けなくなる。
【００１０】
そして、シートは長辺の長さが紙容器のトップシール部の長さと略等しい長方形とし、その長辺方向と平行に直線状切込が形成されており、かつシートには直線状切込の両端で逃げ切込を囲むようにしてそれぞれ突起部が設けられている形態としたラベルは、紙容器のトップシール部に対して直線状切込のところを差し込んだ後に突起部を下方内側に折り曲げることにより紙容器にしっかり固定される。しかも、紙容器のサイズに収まることから、商品陳列の際に隙間を取らずに並べることができる。
【００１１】
また、シートにおける直線状切込の少なくとも一方側が斜面パネルの長さと同じで、かつその斜面パネルの長さと同じ側の先端に延設部が設けられている形態としたラベルは、より大きな広告面を得ることができるし、さらには延設部をクーポン券などに利用することもできる。
【発明を実施するための最良の形態】
【００１２】
本発明の紙容器用ラベルを取り付ける対象となる紙容器は、角筒状胴部の上部に一対の向かい合う斜面パネルとその上に位置するトップシール部とを備えた所謂ゲーベルトップ型の紙容器であり、そのサイズには特に限定はない。また、内容液として牛乳やジュースなどの飲料を入れたものが代表的ではあるが、店頭にて販売に供するものであれば、その他の液体を入れたものでもよい。
【００１３】
図１は本発明に係る紙容器用ラベルの一例を示す平面図、図２は図１の紙容器用ラベルを紙容器に取り付ける様子を示す斜視図、図３は図１の紙容器用ラベルを取り付けた紙容器を斜め上方から見た状態で示す斜視図である。
【００１４】
図１の紙容器用ラベルＬは、印刷済みの板紙を打ち抜いて作製された一枚のシートもので、四隅がデザイン的に丸くカットされてはいるが全体的に長方形の形状をしており、その長辺は取り付けるべき紙容器Ｃにおけるトップシール部Ｓの長さに略等しく、短辺は紙容器Ｃにおける両方の斜面パネルＰを合わせた長さより短くなっている。そして、打抜きシートの真中を縦断するようにして長辺方向と平行に直線状切込１が形成されており、その直線状切込１の両端にはそれぞれ破れ防止用の逃げ切込２が設けられ、かつ打抜きシートには直線状切込１の両端で逃げ切込２を囲むようにして半円状の突起部３が設けられている。この例では、図示のように、逃げ切込２は直線状切込１とともにＴ字型になるように設けられている。紙容器Ｃのサイズは大小種類があるが、いずれの場合も逃げ切込２のカット幅は３〜４ｍｍ程度がよい。
【００１５】
この図１に示す紙容器用ラベルＬは、図２に示す如く紙容器Ｃのトップシール部Ｓに直線状切込１を差し込むことにより、図３に示す如く紙容器Ｃの斜面パネルＰに跨がる状態で取り付ける。この場合、直線状切込１の両端にそれぞれ逃げ切込２があることで、シートの破れが防止されるとともに、スムースに装着することができる。そして、このように紙容器用ラベルＬを紙容器Ｃの上部に取り付けると、斜面パネルＰの上面を傘のように覆った状態となる。しかも、紙容器用ラベルＬを装着後、持ち上げて外そうとすると、逃げ切込２の切り口がトップシール部Ｓの端部に引っ掛かり気味となって抜け止めの作用があるため容易には抜けない。ただし、取外し時は、突起部３を片方だけ摘んで斜めに持ち上げると比較的簡単に外すことができる。なお、半円状の突起部３は、装着した紙容器Ｃの陳列時に互いの干渉を最小限にするパターンであるが、強度的には半径６ｍｍ程度は必要である。
【００１６】
図４は本発明に係る紙容器用ラベルの別の例を示す平面図であり、この紙容器用ラベルＬは、図１のものと比べて半円状の突起部３が半径１０ｍｍ程度と大きく形成されるとともに、突起部３の境界、すなわち逃げ切込２の延長線上となるところに折曲げ用の押罫４が設けられている。
【００１７】
この図４に示す紙容器用ラベルＬは、紙容器Ｃのトップシール部Ｓに直線状切込１を差し込んだ後、突起部３を１８０度折り曲げて斜面パネルＰの裏側に巻き付ける。このように取り付けることにより紙容器用ラベルＬは、紙容器Ｃに密着状態でしっかりと固定される。しかも、紙容器Ｃのサイズに収まることから、商品陳列の際に紙容器用ラベルＬが互いに干渉することがなく、したがって紙容器Ｃを隙間を取らずに並べることができる。なお、折曲げ用の押罫４は特に設けなくてもよいが、折曲げ操作を簡単にするためには設けておいた方が好ましい。
【００１８】
図５は本発明に係る紙容器用ラベルの別の例を示す平面図であり、この紙容器用ラベルＬは、図１のものと比べて片方の半円状の突起部３のみが半径１０ｍｍ程度と大きく形成されている。
【００１９】
この図５に示す紙容器用ラベルＬは、紙容器Ｃのトップシール部Ｓに直線状切込１を差し込んだ後、小さい方の突起部３はそのままで、大きい方の突起部３を１８０度折り曲げて斜面パネルＰの裏側に巻き付ける。このように取り付けることにより紙容器用ラベルＬは、紙容器Ｃにしっかり固定される。しかも、大きい方の突起部３は紙容器Ｃのサイズに収まるので、小さい方の突起部３はそのままでも、商品陳列の際に紙容器用ラベルＬが互いに干渉することがなく、したがって紙容器Ｃを隙間を取らずに並べることができる。なお、大きい方の突起部３には折曲げ用の押罫を設けておいた方が好ましい。そして、取外し時は、小さい方の突起部３だけを摘んで斜めに持ち上げれば比較的簡単に外すことができる。この時、大きい方の突起部３は折り込んだままであるが、斜めに持ち上げるので影響はない。
【００２０】
図６及び図７は本発明に係る紙容器用ラベルの別の例を示す平面図であり、これらの紙容器用ラベルＬは、図１のものと比べると破れ防止用の逃げ切込２の形状が異なり、さらにそれを囲む半円状の突起部３が大きく形成されている。すなわち、図６の紙容器用ラベルＬにおける逃げ切込２は、直線状切込１とともにＹ字型になるように設けられており、図７の紙容器用ラベルＬにおける逃げ切込２は、直線状切込１の端に皿型の形状で設けられている。これらの紙容器用ラベルＬも、図１に示したのと同様に、紙容器Ｃの上部にワンタッチで装着でき、装着後は同様にして外すこともできる。また、図４に示したのと同様に、突起部３を１８０度折り曲げて斜面パネルＰの裏側に巻き付けることもでき、突起部３には折曲げ用の押罫を設けておいた方が好ましい。
【００２１】
図８は本発明に係る紙容器用ラベルの別の例を示す平面図であり、図１の紙容器用ラベル（点線で示す）と比べると極めて単純な形状である。すなわち、外形が単純な長方形であって、その長辺は紙容器のトップシール部より僅かに長い。そして、紙容器のトップシール部と略同じ長さの直線状切込１とその両端にそれぞれ破れ防止用の逃げ切込２とを有している。このタイプの紙容器用ラベルＬも、図１に示したのと同様に、紙容器Ｃの上部にワンタッチで装着でき、装着後は同様にして外すこともできる。デザイン的には、非常にシンプルであり、本発明を実施する上での一つの形態としての位置づけはある。
【００２２】
図９は本発明に係る紙容器用ラベルの別の例を示す平面図であり、この紙容器用ラベルＬは、直線状切込１の左右両側がそれぞれ紙容器の斜面パネルと同じ長さになっており、その一方側の先端に延設部５が折曲げ用の押罫６を介して設けられている。また、逃げ切込２を囲む半円状の突起部３が半径１０ｍｍ程度と大きく形成されている。
【００２３】
この紙容器用ラベルＬも、図１に示したのと同様に、紙容器Ｃの上部にワンタッチで装着でき、装着後は同様にして外すこともできる。また、図４に示したのと同様に、突起部３を１８０度折り曲げて斜面パネルＰの裏側に巻き付けることもでき、突起部３には折曲げ用の押罫を設けておいた方が好ましいものである。そして、このタイプの紙容器用ラベルＬは、紙容器Ｃの上部に取り付けた時、前垂れのようにぶら下がる延設部５により広告面が拡大される。
【００２４】
上記で各タイプを例示した本発明の紙容器用ラベルＬは、紙容器Ｃの上部にある屋根型の上面を傘のように覆うため、広告面を一番目立つところに配置できるので、この紙容器用ラベルＬを取り付けた商品の販促効果を上げることができる。そして、板紙製として低コスト、環境対応とすることもできるし、或いは、樹脂系の材料で作製するなど、必要に応じて耐水性を持たせることもできる。また、直線状切込１の左右両側の長さは、広告面を大きくするならば、できるだけ斜面パネルＰの全体を覆うようにすればよいが、デザイン等に応じて適宜決めればよい。また、四隅を丸くカットする形状に限らず、例えば直角のままとか斜めカットにするなど、任意の形状とすることができる。
【００２５】
また、本発明の紙容器用ラベルは、広告等の印刷を施すほか、例えばスクラッチ式やめくり式等のクジ部を設けることもできる。例えば、紙を２枚貼り合わせた板紙をラベル用紙に用い、上側の紙にミシン目により開口部を設けることでめくり式のクジ部とすることができる。或いは、板紙にマットコート紙を用いてインクジェット印刷を可能とし、クジ部にコード印刷を施すこともできる。特に図９に示すタイプの紙容器用ラベルＬでは、延設部５にも適宜な印刷を施すほか、延設部５を例えばミシン目により切取り可能なクーポン券とすることもできる。
【図面の簡単な説明】
【００２６】
【図１】本発明に係る紙容器用ラベルの一例を示す平面図である。
【図２】図１の紙容器用ラベルを紙容器に取り付ける様子を示す斜視図である。
【図３】図１の紙容器用ラベルを取り付けた紙容器を斜め上方から見た状態で示す斜視図である。
【図４】本発明に係る紙容器用ラベルの別の例を示す平面図である。
【図５】本発明に係る紙容器用ラベルの別の例を示す平面図である。
【図６】本発明に係る紙容器用ラベルの別の例を示す平面図である。
【図７】本発明に係る紙容器用ラベルの別の例を示す平面図である。
【図８】本発明に係る紙容器用ラベルの別の例を示す平面図である。
【図９】本発明に係る紙容器用ラベルの別の例を示す平面図である。
【符号の説明】
【００２７】
Ｌ  紙容器用ラベル
Ｃ  紙容器
Ｓ  トップシール部
Ｐ  斜面パネル
１  直線状切込
２  逃げ切込
３  突起部
４  押罫
５  延設部
６  押罫
【図１】
2005208266.tif 000003
【図２】
2005208266.tif 000004
【図３】
2005208266.tif 000005
【図４】
2005208266.tif 000006
【図５】
2005208266.tif 000007
【図６】
2005208266.tif 000008
【図７】
2005208266.tif 000009
【図８】
2005208266.tif 000010
【図９】
2005208266.tif 000011